(57)【要約】【課題】フィラメント電極を活用してランプを高周波点灯した場合に始動特性および寿命特性が向上できる低圧放電ランプおよびこの放電ランプを備えた電球形蛍光ランプを提供することを目的とする。【解決手段】放電路（空間）１Ｄを形成するバルブ１と、このバルブ１の端部に封着された一対のリード線２，２を有するステム４と、このステム４のリード線２，２に継線されるとともにリード線２，２より延出したレグ部３２をリード線２，２の先端より放電路（空間）１Ｄ側に突出させたフィラメント電極３，３と、上記バルブ１内に封入された放電媒体とを備えた低圧放電ランプＦＬ１およびこの放電ランプＦＬ１を備えた電球形蛍光ランプＦＬ２である。【選択図】  図２
2004235067.tif 000002
【特許請求の範囲】
【請求項１】
放電路を形成するバルブと；
このバルブの端部に封着された一対のリード線を有するステムと；
このステムのリード線に継線されるとともにリード線より延出したレグ部をリード線の先端より放電路側に突出させたフィラメント電極と；
上記バルブ内に封入された放電媒体と；
を具備したことを特徴とする低圧放電ランプ。
【請求項２】
フィラメント電極のリード線より延出したレグ部の延出長さが、リード線の先端から２ｍｍ以上であることを特徴とする請求項１に記載の低圧放電ランプ。
【請求項３】
コールドスタート方式で始動することを特徴とする請求項１または２に記載の低圧放電ランプ。
【請求項４】
基体と；
この基体に取着された請求項１ないし３のいずれか一に記載の低圧放電ランプと；
この放電ランプを１０ｋＨｚ以上の高周波電力で点灯させる点灯回路と；
を具備したことを特徴とする電球形蛍光ランプ。
【発明の詳細な説明】
【０００１】
【発明の属する技術分野】本発明は、フィラメント電極を有する蛍光ランプに代表される低圧放電ランプおよびこの種放電ランプを装着した電球形蛍光ランプに関する。
【０００２】
【従来の技術】たとえば蛍光ランプは、両端を封止し内面に蛍光体被膜を形成したガラス管バルブ内に、リード線に支持された電子放射性物質を有する一対のフィラメント電極を対峙させるとともに水銀およびアルゴンガスなどの希ガスからなる放電媒体を封入して構成されている。
【０００３】
そして、上記バルブ内においてフィラメント電極間に放電を生起させ、この放電によりバルブ内の水銀蒸気を電離および励起して紫外線を発生し、この紫外線を蛍光体被膜で可視光に変換してバルブ外に放射するようにしている。
【０００４】
この蛍光ランプは、ガラス管バルブの管径を細径化することにより、ランプ電流を減少させて点灯回路での電力損失を低減することでランプ効率の向上がはかれるとともに小形化によって材料費や輸送費などの費用が軽減できる。
【０００５】
しかしながら、特にガラス管バルブの管径を細径化した蛍光ランプは、ランプ電流が減少する反面、ランプ電圧が上昇するので、イオン化された放電媒体が加速されてフィラメント電極に衝突するエネルギーも増大し、フィラメントがスパッタされて早期に断線し易いという問題がある。
【０００６】
この現象はランプ始動時にフィラメント電極を十分に予熱しない場合に発生し易く、特にコールドスタートによる点灯方式において問題になりやすい。
【０００７】
ガラス管バルブが細径化された蛍光ランプのイオン衝撃を防止してフィラメントの早期段線を抑制する目的ではないが、フィラメントへの衝撃を防止する手段として、フィラメント電極を支持したリード線にニッケル線などからなる導電線を溶接してその先端側を放電空間側に延出させることが知られている。しかし、この別体の導電線を用いるのは、別部材を揃えなければならないばかりか溶接作業が必要でその歩留りなどコストアップを招く不具合があった。
【０００８】
また、別部材を用いることなく通常より長いリード線を用い、リード線の先端部より５ｍｍ以上離れた部分においてコイル状のフィラメント電極を溶接固着した蛍光ランプが開示されている。（特許文献１）
【０００９】
【特許文献１】
特開昭６０−１０９１６０号公報
すなわち、この特許文献１によれば、陽極サイクル時に電子をリード線の放電路（空間）側部分の全体に流し込ませることにより、電極への付着を抑え陽極振動を安定発生させ、不規則なちらつきの発生を防止した蛍光ランプである。
【００１０】
【発明が解決しようとする課題】しかし、通常、低圧放電ランプの内部リード線としては、ニッケル線、鉄−ニッケル合金線、ニッケル被覆鉄線、銅線、銅被覆鉄線やジュメット線などからなる導電線が用いられているが、これら線材は放電時のイオン衝撃により蒸発してその飛散物質がバルブ壁に飛着し黒化を生じ、光束の低下を招く虞がある。また、フィラメント電極を支持する内部リード線はフィラメント電極を振動や衝撃から保護するとともに電気的抵抗が小さくなるような外径を有するものが用いられているが、無空状であるとともにさらに長くなると熱的容量が増加し、陰極サイクル時、フィラメント電極の熱を奪い電極の温度を低下させて始動電圧を高くする不具合がある。
【００１１】
本発明は、このような事情に鑑みなされたもので、リード線はフィラメント電極の支持および通電と本来の構造とし、フィラメント電極を活用してランプを高周波点灯した場合に始動特性および寿命特性が向上できる低圧放電ランプおよびこの放電ランプを備えた電球形蛍光ランプを提供することを目的とする。
【００１２】
【課題を解決するための手段】本発明の請求項１に記載の低圧放電ランプは、放電路を形成するバルブと、このバルブの端部に封着された一対のリード線を有するステムと、このステムのリード線に継線されるとともにリード線より延出したレグ部をリード線の先端より放電路側に突出させたフィラメント電極と、上記バルブ内に封入された放電媒体とを具備したことを特徴としている。
【００１３】
本発明では、フィラメント電極両端の内部リード線より延出したレグ部が折曲げられその先端側を内部リード線の最先端より突出させ、バルブ内両端の導電体として放電路（空間）側に最も突出しているので、フィラメント電極がイオン衝撃の影響を受けにくく、陽極作用をなす部分が高融点金属であるタングステン細線で構成され、熱的容量が小さいとともに放電時にイオン衝撃を受けても蒸発を抑制できる。また、フィラメント電極の上記内部リード線の最先端より突出させたレグ部分は、コイル状であっても単線状であってもよい。
【００１４】
また、商用（交流）電源で点灯する場合には、電極が陽極として作用するとき電極近傍での電子雪崩が十分発達し、陽極振動が安定して生じるので光出力の不規則なちらつきが起きないという作用も奏する。
【００１５】
なお、本発明ならびに以下の各発明において、特に指定しない限り用語の定義および技術的意味は次による。
【００１６】
低圧放電ランプとは、バルブ内に一対以上のフィラメント電極を有するとともに内部に希ガスを２００〜４００Ｐａ程度封入したランプで、蛍光ランプや紫外線放射ランプなどの各種放電ランプである。また、本発明は一般形の蛍光ランプに限らず、電球形やコンパクト形のランプあるいはバルブ面と蛍光体被膜との間にアルミナなどの保護膜や透明導電膜を形成したりあるいは反射被膜を併設した他の種類の蛍光ランプにも適用できるものである。
【００１７】
バルブは、その材質がソーダライムガラスや鉛ガラスなどの軟質ガラス、ホウケイ酸ガラス、アルミノシリケートガラスや石英ガラスなどの硬質ガラスあるいはアルミナなどのセラミックスからなるものを用いることができ、その内径が３０ｍｍ以下、好ましくは２０ｍｍ以下の場合に適する。また、その形状は、直管形、環形、Ｕ字形、Ｗ字形、ダブルまたはトリプルＵ字形などや複数本の直管状のガラス管などを継いだものであってもよい。
【００１８】
また、電極を支持接続するリード線はフレアステム、ボタンステムやヒードステムに設けられたものに限らず、バルブ端部に直接封着されたものであっても差支えない。このリード線としては、ニッケル線、鉄−ニッケル合金線、ニッケル被覆した鉄線、銅線、銅被覆した鉄線やジュメット線などからなる導電線を用いることができ、内部リード線、封着線、外部リード線が単一線であっても各線が別線であってもあるいは一部が共通線であってもよい。
【００１９】
フィラメント電極は、タングステンなどの高融点金属細線をダブルコイル状やトリプルコイル状に巻回して形成され、リード線に接続支持されるレグ部および端部は単コイル状やダブルコイル状であるのが支持強度や陽極作用をなすのに好ましい。
【００２０】
また、フィラメント電極のレグ部を除く中央部のコイル状部内には熱電子を放出し易い酸化バリウム（ＢａＯ）、酸化ストロンチウム（ＳｒＯ）、酸化カルシウム（ＣａＯ）の混合物、タンタル酸バリウム（ＢａＴａＯ３  ）、チタン酸バリウム（ＢａＴｉＯ３  ）、ジルコニウム酸バリウム（ＢａＺｒＯ３  ）、チタン酸ストロンチウム（ＳｒＴｉＯ３  ）やチタン酸ストロンチウムバリウム（Ｂａ０．６  Ｓｒ０．６  ＴｉＯ３  ）などの電子放射性物質を充填担持させている。なお、この電極を構成するタングステンなどからなるフィラメントと電子放射性物質の材料とはその比熱が異なるが、電子放射性物質の担持量に応じてコイル各部の径、巻数やピッチなどの構成寸法を適宜決めればよい。
【００２１】
また、バルブ内に封入される放電媒体としての水銀は、液状、アマルガム（合金）、水銀放出構体などの形態で直接あるいは排気管（収容専用の細管を含む。）内やリード線などのマウント部材に設けられているが、水銀を封入しない希ガス発光による放電ランプにも適用できる。また、希ガスはアルゴン、クリプトン、キセノンやネオンなどを単独または混合したガスで、これらはランプ特性に合わせ、混合比や封入圧を適宜決めればよい。
【００２２】
また、蛍光体被膜を形成するランプの蛍光体としては、青色、緑色、赤色に発光領域を有する蛍光体を混合した３波長形の希土類蛍光体や連続波長発光形のハロリン酸塩蛍光体などを用いることができる。この蛍光体は、ランプの種類や用途により適宜選択して用いられる。
【００２３】
この蛍光体被膜など内面に被膜を形成したバルブを用いる場合、フィラメント電極のリード線より突出したレグ部がバルブ軸方向に折曲げられているのでコイル状部の長さ（幅）が小さくなったことにより、ステムとガラス管バルブとの封着時に互いの中心軸が少々ずれてもステム部材とバルブとの接触に起因する被膜の損傷やフィラメントの変形などの不良の発生を防ぐことができる。
【００２４】
さらに、本発明のランプは、バルブの端部に口金やホルダが設けられることの有無は問わない。
【００２５】
本発明の請求項２に記載の低圧放電ランプは、フィラメント電極のリード線より延出したレグ部の延出長さが、リード線の先端から２ｍｍ以上であることを特徴としている。
【００２６】
リード線より延出したレグ部が、リード線の最先端より突出しているのは必須であるが、その突出長が２ｍｍ以上あれば上記請求項１に記載の作用を奏する。また、突出長が６ｍｍを超えてもイオン衝撃の抑制効果には差が現れないので、６ｍｍ以下とするのが好ましい。
【００２７】
本発明の請求項３に記載の低圧放電ランプは、コールドスタート方式で始動することを特徴としている。
【００２８】
コールドスタート方式とは、フィラメント電極に予熱電流を過度に流すことなく、まず一対の電極間でグロー放電を発生させてその熱でフィラメント電極を予熱した後、グロー放電からアーク放電に転移させる始動方式であり、放電ランプをスイッチオン後ただちに点灯する始動特性の向上がはかれるものである。
【００２９】
この方式の点灯回路は、低圧放電ランプに対して放電のための電気エネルギーを供給する電源機能および放電ランプの負特性を補償する限流インピーダンス機能を備えている。また、始動時に低圧放電ランプの放電電極に高い始動電圧を印加する始動電圧供給機能を備えている。
【００３０】
低圧放電ランプに対する電源には、小形、軽量で、しかも制御が容易で高効率点灯が可能な高周波交流たとえば高周波インバータを用いることができる。
【００３１】
また、交流点灯の場合、限流インピーダンスは、インダクタンス、キャパシタンスおよび抵抗のうちの１種または複数種を組合わせ用いることができる。しかし、電力損失の点からはインダクタンスおよびキャパシタンスがよいが、さらに制御が容易で高周波交流点灯においては小形化が可能である点などを勘案するとインダクタンスが最適である。
【００３２】
また、インダクタンスを限流インピーダンスの少なくとも一部とする場合、チョークコイル、漏洩トランスの漏洩インダクタンスによってそのインダクタンスを確保できる。
【００３３】
始動電圧供給機能は、低圧放電ランプの始動時にフィラメント電極間に高い始動電圧を印加する機能である。フィラメント電極は、始動時にグロー放電が生起し、やがてアーク放電に転移してランプがいわゆる点灯状態になるのであるが、このグロー・アーク放電の転移時間を短縮することにより、放電ランプの始動時間が短縮される。この転移時間を短縮するには、始動時に投入する電力をなるべく大きくすると効果的であり、始動電圧を高くすることにより、放電ランプの電極への投入電力を大きくすることができる。
【００３４】
始動時の始動電圧を高くするには、たとえば放電ランプに並列にコンデンサを接続して、このコンデンサが始動時に限流インダクタンスと直列共振するようにする。また、高周波インバータの出力電圧を始動時に所定時間高めるようにしてもよい。
【００３５】
そして、始動時にフィラメント電極の周囲に生じる、グロー放電時のランプ電流のピーク値が大きくなり、陰極降下電圧が高くなる。このとき電子放射性物質に投入される電力は、イオン電流と陰極降下電圧との積であり、イオン電流はグロー放電時のランプ電流であるから大きくなる。フィラメント電極への投入電力が大きくなると、電子放射性物質が短時間で温度上昇して、アーク放電に必要なグロー・アーク転移温度に到達するので、グロー・アーク転移時間が短縮する。
【００３６】
本発明の請求項４に記載の電球形蛍光ランプは、基体と、この基体に取着された請求項１ないし３のいずれか一に記載の低圧放電ランプと、この放電ランプを１０ｋＨｚ以上の高周波電力で点灯させる点灯回路とを具備したことを特徴としている。
【００３７】
上記請求項１ないし４に記載の作用を有する放電ランプを装着し、高周波電力で点灯させたので、始動特性および点灯経過に伴う光束の低下が小さい長寿命の照明を行うことができる。
【００３８】
上記基体は、放電ランプを支持するとともに点灯回路を配設した配線基板が取着されるホルダおよびカバー体などからなり、このホルダおよびカバー体は、たとえばポリエチレンテレフタレート、ポリプチレンテレフタレート、ポリプロピレン、四フッ化エチレンあるいはポリカーボネイトなどの熱可塑性合成樹脂から形成することができ、これら材料とすることにより容易に、かつ、安価に製造できる。
【００３９】
また、この蛍光ランプは、放電ランプを覆いランプの保護、散光や色調などを変えるグローブやセードなどの制光体を有するものであってもよい。この制光体を形成する材料としては透明や光拡散性を呈するガラスや合成樹脂材料を用いることができる。
【００４０】
【発明の実施の形態】
以下、本発明の実施の形態を図面を参照して説明する。図１は低圧放電ランプたとえば略Ｕ字状をなすコンパクト形蛍光ランプＦＬ１を示す一部断面正面図、図２は図１の蛍光ランプＦＬ１のバルブ一端の封着部近傍を縦断して示す概略拡大正面図である。
【００４１】
この蛍光ランプＦＬ１は、たとえば定格３６Ｗで、外径約２０ｍｍ、内径約１７ｍｍ、全長約４００ｍｍの直管形の１本のガラス管バルブ１が略Ｕ字形状に曲折されその両端にそれぞれ封止部１１，１１が設けられ、各封止部１１には一対のリード線２，２にコイル状のフィラメント電極３，３を継線したビードステム４，４および排気管１５（一端側のみの場合もある。）が封着されている。
【００４２】
また、バルブ１の内面にはたとえば青色、緑色、赤色に発光領域を有する蛍光体を混合した３波長形の希土類蛍光体などを塗布した蛍光体被膜６が形成されているとともに、このバルブ１内には水銀とアルゴンなどの希ガスからなる放電媒体が封入されている。
【００４３】
なお、上記水銀は、液状、アマルガム（合金）、水銀放出構体などの形態で封入されている。また、図中、７は口金で、ステム４，４から導出したリード線２，２の外部リード線部分と電気的に接続している。
【００４４】
上記ビードステム４は、一対のリード線２，２のジュメット線からなる封着線２１，２１部をガラスビード４１中に埋設固定しているとともに内部リード線を構成する先端側にコイル状フィラメント電極３，３のレグ部３２，３２を溶接や折返し形成したフック部に挟圧することにより継線した構造をなしている。
【００４５】
そして、このコイル状のフィラメント電極３は図２に示すように、タングステン細線を巻回した中央部３１が三重コイル状３１をなし、両端のレグ部３２，３２が二重コイル状で、リード線２，２の外側から延出した先端側３３，３３が内部リード線２，２の延出方向である放電空間（路）１Ｄに向き指向するよう折曲げられている。
【００４６】
このときリード線２，２に継線されたコイル状フィラメント電極３は、たとえば両レグ部３２，３２を含むリード線２，２間の長さが約１０ｍｍ、中央部の三重コイル状３１部が約６ｍｍ、内部側レグ部３２（片側）が約２ｍｍで、このレグ部３２の内部リード線２，２より外側に延出した外部側レグ部（片側）長さが約４．５ｍｍで、折曲げられリード線２の最先端から突出した先端側３３の長さｈは約３ｍｍである。
【００４７】
また、コイル状フィラメント電極３は、中央部の三重コイル状部３１が形成する空間内にのみバリウムＢａ、ストロンチウムＳｒ、カルシウムＣａなどの酸化物を主体とする電子放射性物質５を充填担持している。
【００４８】
なお、このリード線２，２の外側から延出した先端側３３，３３の折曲げは、コイル状フィラメント３の製造時に予め折曲げておいてもよいが、リード線２，２との継線作業時に、継線間隔が制限されたり折曲げ方向を揃えたりするなどその作業が複雑になるので、継線作業の最終工程などにおいて、両リード線２，２の外側からレグ部３２，３２の延出した先端側３３，３３を形成治具に当接や摺接させることにより折曲げれば簡単容易に行うことができる。
【００４９】
そして、上記上記ビードステム４は、一対のリード線２，２のジュメット線からなる封着線２１，２１部をガラス管バルブ１の端部内に配設して、バルブ１端部を加熱溶融しピンチャーなどで圧潰することにより封止部１１が形成され、封止部１１に同時に封止された排気管１５を通じバルブ１内の排気および水銀、希ガス封入などが行われた後、この排気管１５の先端が溶封される。この後、必要に応じバルブ１の端部に口金７が接合されてコンパクト形蛍光ランプＬ１が完成する。
【００５０】
そして、この構成の蛍光ランプＦＬ１の点灯は、フィラメント電極３，３に電流を流して発熱させ、中央部の三重コイル状部３１内のみに充填担持された電子放射性物質５を加熱して、この電子放射性物質５から熱電子が豊富にバルブ１内に放出され、この熱電子が反対側の電極３の高圧に引かれて移動し容易にアーク放電が始まる。この放電により流れる電子はバルブ１内の水銀原子と衝突して紫外線を発生し、この紫外線によりバルブ１内面に塗布されている蛍光体被膜６が励起されて所定の可視光線を放射する。
【００５１】
本発明ではコイル状フィラメント電極３両端のレグ部３２，３２が折曲げられその先端側３３，３３が内部リード線３，３の最先端より突出させた、バルブ１両端の導電体として放電空間（路）１Ｄ側に最も突出しているので、商用（交流）電源での点灯時に電極３が陽極として作用するとき電極３近傍での電子雪崩が十分発達し、陽極振動が安定して生じるので光出力の不規則なちらつきが起きない、不快感のない蛍光ランプＦＬ１である。
【００５２】
また、この陽極作用をなす部分を電極３が備えている高融点金属であるタングステン細線で構成しているので、格別な部材を用いず形成でき、熱的容量が小さいとともに放電時にイオン衝撃を受けても蒸発を抑制できる。したがって、フィラメント電極３の温度低下を来さず、始動電圧が高まったり、バルブ黒化の低減がはかれる光束維持特性の向上した蛍光ランプＦＬ１からなる光源を提供できる。
【００５３】
また、リード線２，２より外方に延出したレグ部３２の先端側３３を、リード線２，２に沿うよう突出させたので、フィラメント電極３のコイル状部の長さ（幅）が小さくなり、ステム４とガラス管バルブ１との封着時にステム４をバルブ１内に入れる余裕度が増して、互いの中心軸が少々ずれてもバルブ１の開口端部でフィラメント電極３を引っ掛けて変形させたり、蛍光体被膜６を形成したバルブ１の場合、レグ部３２やリード線２が蛍光体被膜６に当接して剥離するなどの不良の発生を低減して歩留まりの向上がはかれる。
【００５４】
なお、この蛍光ランプＦＬ１の点灯回路として好適な、コールドスタート方式あるいはインスタントスタート方式と呼ばれている点灯回路の一例について図３を参照して説明する。
【００５５】
この図３に示す点灯回路８において、ＡＳは商用交流電源、ｆは過電流ヒューズ、ＮＦはノイズフィルタ、ＲＤは整流化直流電源、ＨＦＩは高周波インバータ、ＬＣは負荷回路である。
【００５６】
上記ＮＦはノイズフィルタは、商用交流電源ＡＳと整流化直流電源ＲＤとの間に介在して、高周波インバータＨＦＩにおける高周波スイッチングによって発生する高周波ノイズを商用交流電源ＡＳ側に流失しないように除去する。
【００５７】
整流化直流電源ＲＤは、ブリッジ形整流化回路ＢＲＣおよび平滑コンデンサＣ１からなり、交流電圧を平滑化直流電圧に変換する。高周波インバータＨＦＩは、第１のスイッチング手段Ｑ１、第２のスイッチング手段Ｑ２、ゲートドライブ回路ＧＤＣ、起動回路ＳＴおよびゲート保護回路ＧＰを備えてハーフブリッジ形のインバータを構成している。
【００５８】
第１のスイッチング手段Ｑ１は、Ｎチャンネル形ＭＯＳＦＥＴからなり、そのドレインが整流化直流電源ＲＤの正極に接続し、ソースが第２のスイッチング手段Ｑ２は、Ｐチャンネル形ＭＯＳＦＥＴからなり、そのドレインが整流化直流電源ＲＤの負極に接続している。
【００５９】
ゲートドライブ回路ＧＤＣは、帰還手段ＦＢ、直列共振回路ＳＲＣおよびゲート電圧出力手段ＧＶＯからなる。帰還手段ＦＢは、後述する限流インダクタンスＬ２に磁気結合している補助巻線により構成されている。直列共振回路ＳＲＣは、インダクタンスＬ１およびコンデンサＣ２の直列回路からなり、その両端は帰還手段ＦＢの両端に接続している。
【００６０】
ゲート電圧出力手段ＧＶＯは、直列共振回路ＳＲＣのコンデンサＣ２の両端に現れる共振電圧をコンデンサＣ３を介して取り出すように構成されている。そして、コンデンサＣ３の一端は、コンデンサＣ２とインダクタンスＬ１との接続点に接続し、コンデンサＣ３の他端は第１のスイッチング手段Ｑ１および第２のスイッチング手段Ｑ２のそれぞれのゲートに接続している。
【００６１】
さらに、コンデンサＣ２の他端が第１および第２のスイッチング手段Ｑ１、Ｑ２のソースに接続している。このような回路構成により、コンデンサＣ２の両端に現れた共振電圧は、ゲート電圧出力手段ＧＶＯを介して第１および第２のスイッチング手段Ｑ１、Ｑ２のゲート・ソース間に印加される。
【００６２】
始動回路ＳＴは、抵抗器Ｒ１，Ｒ２，Ｒ３からなる。抵抗器Ｒ１は、その一端が平滑コンデンサＣ１の正極に接続し、他端が第１のスイッチング手段Ｑ１のゲートに接続しているとともに抵抗器Ｒ２の一端およびゲートドライブ回路ＧＤＣのゲート電圧出力手段ＧＶＯのゲート側の出力端すなわちコンデンサＣ３の他端に接続している。
【００６３】
抵抗器Ｒ２の他端は、直列共振回路ＳＲＣのインダクタンスＬ１および帰還手段ＢＦの接続点に接続している。抵抗器Ｒ３は、その一端が第１および第２のスイッチング手段Ｑ１、Ｑ２の接続点すなわちそれぞれのソースおよびゲート電圧出力手段ＧＶＯのソース側の出力端に接続し、他端が整流化直流電源ＲＤの負極に接続している。
【００６４】
ゲート保護手段ＧＰは、一対のツェナーダイオードを逆直列接続してゲート電圧出力手段ＧＶＯに並列接続して、ゲート電圧を所要値にクランプしている。
【００６５】
負荷回路ＬＣは、限流インダクタンスＬ２、直流カットコンデンサＣ４および共振コンデンサＣ５の直列回路に加えて、共振コンデンサＣ５に並列接続した蛍光ランプＦＬ１によって構成されている。限流インダクタンスＬ２は、その一端が第１および第２のスイッチング手段Ｑ１、Ｑ２のソースに接続し、他端は直流カットコンデンサＣ４の他端に接続している。
【００６６】
このような点灯回路８により、高周波インバータＨＦＩの高周波出力電圧が蛍光ランプＦＬ１のコイル状フィラメント電極３，３間に印加されて、グロー放電が生じ、その後アーク放電に転移する、スイッチイン後、蛍光ランプＦＬ１をただちに点灯することができる。
【００６７】
また、図４は本発明の低圧放電ランプの実施の形態、たとえば電球形の蛍光ランプＦＬ２を示す一部断面正面図で、図中、図１ないし図３と同一部分には同一の符号を付してその説明は省略する。
【００６８】
この蛍光ランプＦＬ２は、中空円筒状の大円筒状部９１ａと、大円筒状部９１ａの上端に連設された小径の小円筒状部９１ｂとからなるカバー体９１と、このカバー体９１の小円筒状部９１ｂに固定された口金７と、このカバー体９１の大円筒状部９１ａに取着されたホルダ９２と、このホルダ９２取着された配線基板９３およびバルブ１Ａと、このバルブ１Ａを覆ってカバー体９１とホルダ９２との間に開口部が接合されたグローブ９４とから構成されている。
【００６９】
放電ランプを形成するバルブ１Ａは、図１に示すような略Ｕ字形状をした３本のガラス管バルブ１，１，１の間を連通管１２，１２を介し連結して１本の放電路（空間）１Ｄが形成され、上方から見ると略三角形状に配設されている。なお、一対のフィラメント電極３，３（図示しない。）は、最端側のバルブ１の端部に設けられていて、アマルガム状とした水銀が排気管１５内に設けられている。
【００７０】
上記カバー体９１およびホルダ９２は、熱可塑性の合成樹脂たとえばポリエチレンテレフタレートからなる。皿状をなすホルダ９２の底面に設けられた６か所の開口部にはバルブ１Ａの端部が挿入され、バルブ１Ａを略垂直状態で支持している。
【００７１】
このホルダ９２の上方側には爪部や段部が形成され、この爪部と段部との間には上記コールドスタート方式の点灯回路８を構成する電気部品を配設した配線基板９３が取着されるとともにこの配線基板９３には上記両端のバルブ１，１の封止部１１から導出したリード線が接続されている。
【００７２】
また、上記カバー体９１の大円筒状部９１ａの開口端部に、配線基板９３を装着したホルダ９２およびバルブ１Ａを覆ったグローブ９４とが配設され、たとえばシリコーン系の熱硬化性の接着剤９５を介し接合している。
【００７３】
また、上記カバー体９１の小円筒状部９１ｂの外周に形成された螺旋状溝には、捩じ込み型（Ｅ型）の口金７が螺合され、かしめや接着剤で固定しているととも口金７の端子部に配線基板９３から配線されたリード線を接続して電球形の蛍光ランプＦＬ２を構成している。
【００７４】
そして、この蛍光ランプＦＬ２は、口金７部を照明器具の通常のソケットに捩じ込み、商用電源から通電することにより点灯させて、上記実施の形態で述べたとと同様な始動および発光・寿命特性を呈することができる。
【００７５】
【発明の効果】請求項１および２の発明によれば、商用（交流）電源で点灯する場合には、電極が陽極として作用するとき電極近傍での電子雪崩が十分発達し、陽極振動が安定して生じるので光出力の不規則なちらつきが起きない効果を奏する。
【００７６】
また、この陽極作用をなす部分を格別な部材を用いることなく、高融点金属で熱的容量を小さく形成したことにより、放電時にイオン衝撃を受けても蒸発を抑制できる。
【００７７】
したがって、光出力の不規則なちらつき発生を防止し不快感がないとともに、始動特性、光束維持特性などの発光・寿命特性および歩留りが向上し、コストも変わらない低圧放電ランプを提供できる。
【００７８】
請求項３の発明によれば、スイッチオン後、ただちに点灯する始動特性の向上した低圧放電ランプを提供できる。
【００７９】
請求項４の発明によれば、上記請求項１ないし３に記載の効果を有する放電ランプおよび点灯回路を装着した、始動特性、光束維持特性などの発光・寿命特性および歩留りの向上した電球形蛍光ランプを提供できる。
【図面の簡単な説明】
【図１】本発明の低圧放電ランプの実施の形態、たとえばコンパクト形の蛍光ランプを示す一部断面正面図である。
【図２】図１の蛍光ランプのバルブ一端の封着部近傍を縦断して示す概略拡大正面図である。
【図３】本発明の低圧放電ランプの点灯に用いられるコールドスタート点灯回路の一例を示す回路図である。
【図４】本発明の低圧放電ランプの他の実施の形態、たとえば電球形の蛍光ランプを示す一部断面正面図である。
【符号の説明】
ＦＬ１：低圧放電ランプ（コンパクト形蛍光ランプ）、  ＦＬ２：低圧放電ランプ（電球形蛍光ランプ）、  １，１Ａ：バルブ、  １Ｄ：放電路（空間）、  １１：封止部、  ２：リード線、  ３：コイル状フィラメント電極、  ３２：レグ部、  ３３：先端側、  ｈ：延出長さ、  ４：ステム、  ５：電子放射性物質、  ６：蛍光体被膜、  ８：点灯回路、
【図１】
2004235067.tif 000003
【図２】
2004235067.tif 000004
【図３】
2004235067.tif 000005
【図４】
2004235067.tif 000006